(57)【要約】【課題】簡単かつ安全に画像データや縮小画像データを保管できる制御プログラム及び画像データ保管方法並びに画像データ保管システムの提供。【解決手段】デジタルカメラ１８やメディア１９から画像データを読み取る読取部と読み取った画像データを記録媒体４０に書き込む書込部と制御部とを少なくとも備える制御装置１０と、サーバ２０と、コンピュータ端末３０とが通信ネットワークで接続された画像データ保管システムにおいて、制御装置１０の制御部（又は制御プログラム）に、縮小画像データを生成するデータ生成部と、予め定められたルールに従って第１のファイル名を生成すると共に、第１のファイル名に所定の暗証番号を付加して第２のファイル名を生成するファイル名生成部と、第２のファイル名にリネームした縮小画像データと記録媒体の識別情報とをサーバ２０に送信するデータ登録部とを設ける。【選択図】図１
2008288735.tif 000002
【特許請求の範囲】
【請求項１】
コンピュータを、
入力された画像データのデータサイズを縮小した縮小画像データを生成するデータ生成手段、
予め定められたルールに従って第１のファイル名を生成すると共に、前記第１のファイル名と入力された暗証番号とに基づいて前記縮小画像データに付与する第２のファイル名を生成するファイル名生成手段、
前記第２のファイル名にリネームした前記縮小画像データを、通信ネットワークを介して接続されるサーバに送信するデータ登録手段、として機能させることを特徴とする制御プログラム。
【請求項２】
コンピュータを、
入力された画像データのデータサイズを縮小した縮小画像データを生成するデータ生成手段、
予め定められたルールに従って第１のファイル名を生成すると共に、前記第１のファイル名と入力された暗証番号とに基づいて前記縮小画像データに付与する第２のファイル名を生成するファイル名生成手段、
前記第２のファイル名にリネームした前記縮小画像データと少なくとも前記画像データを記録する記録媒体の識別情報とを、通信ネットワークを介して接続されるサーバに送信するデータ登録手段、として機能させることを特徴とする制御プログラム。
【請求項３】
コンピュータを、
予め記録媒体に記録された縮小画像データに付与された第１のファイル名と入力された暗証番号とに基づいて前記縮小画像データに付与する第２のファイル名を生成するファイル名生成手段、
前記第２のファイル名にリネームした前記縮小画像データを、通信ネットワークを介して接続されるサーバに送信するデータ登録手段、として機能させることを特徴とする制御プログラム。
【請求項４】
コンピュータを、
予め記録媒体に記録された縮小画像データに付与された第１のファイル名と入力された暗証番号とに基づいて前記縮小画像データに付与する第２のファイル名を生成するファイル名生成手段、
前記第２のファイル名にリネームした前記縮小画像データと前記記録媒体の識別情報とを、通信ネットワークを介して接続されるサーバに送信するデータ登録手段、として機能させることを特徴とする制御プログラム。
【請求項５】
少なくとも、制御装置とサーバとが通信ネットワークで接続された画像データ保管システムにおいて、
前記制御装置は、
読み取った画像データのデータサイズを縮小した縮小画像データを生成するデータ生成手段と、
予め定められたルールに従って記録媒体に記録する前記画像データ及び前記縮小画像データに付与する第１のファイル名を生成すると共に、前記第１のファイル名と入力された暗証番号とに基づいて前記サーバに送信する前記縮小画像データに付与する第２のファイル名を生成するファイル名生成手段と、
前記第２のファイル名にリネームした前記縮小画像データを前記サーバに送信するデータ登録手段と、を少なくとも備えることを特徴とする画像データ保管システム。
【請求項６】
少なくとも、制御装置とサーバとが通信ネットワークで接続された画像データ保管システムにおいて、
前記制御装置は、
読み取った画像データのデータサイズを縮小した縮小画像データを生成するデータ生成手段と、
予め定められたルールに従って記録媒体に記録する前記画像データ及び前記縮小画像データに付与する第１のファイル名を生成すると共に、前記第１のファイル名と入力された暗証番号とに基づいて前記サーバに送信する前記縮小画像データに付与する第２のファイル名を生成するファイル名生成手段と、
前記第２のファイル名にリネームした前記縮小画像データと前記記録媒体の識別情報とを前記サーバに送信するデータ登録手段と、を少なくとも備えることを特徴とする画像データ保管システム。
【請求項７】
少なくとも、制御装置とサーバとコンピュータ端末とが通信ネットワークで接続された画像データ保管システムにおいて、
前記制御装置は、
読み取った画像データのデータサイズを縮小した縮小画像データを生成するデータ生成手段と、
予め定められたルールに従って記録媒体に記録する前記画像データ及び前記縮小画像データに付与する第１のファイル名を生成するファイル名生成手段と、
前記第１のファイル名の前記画像データ及び前記縮小画像データを前記記録媒体に書き込む書込部と、を少なくとも備え、
前記コンピュータ端末は、
前記記録媒体に記録された前記縮小画像データの前記第１のファイル名と入力された暗証番号とに基づいて前記縮小画像データに付与する第２のファイル名を生成するファイル名生成手段と、
前記第２のファイル名にリネームした前記縮小画像データを前記サーバに送信するデータ登録手段と、を少なくとも備える画像データ保管システム。
【請求項８】
少なくとも、制御装置とサーバとコンピュータ端末とが通信ネットワークで接続された画像データ保管システムにおいて、
前記制御装置は、
読み取った画像データのデータサイズを縮小した縮小画像データを生成するデータ生成手段と、
予め定められたルールに従って記録媒体に記録する前記画像データ及び前記縮小画像データに付与する第１のファイル名を生成するファイル名生成手段と、
前記第１のファイル名の前記画像データ及び前記縮小画像データを前記記録媒体に書き込む書込部と、を少なくとも備え、
前記コンピュータ端末は、
前記記録媒体に記録された前記縮小画像データの前記第１のファイル名と入力された暗証番号とに基づいて前記縮小画像データに付与する第２のファイル名を生成するファイル名生成手段と、
前記第２のファイル名にリネームした前記縮小画像データと前記記録媒体の識別情報とを前記サーバに送信するデータ登録手段と、を少なくとも備えることを特徴とする画像データ保管システム。
【請求項９】
少なくとも、制御装置とサーバとコンピュータ端末とが通信ネットワークで接続されたシステムにおける画像データ保管方法であって、
前記制御装置は、
読み取った画像データのデータサイズを縮小した縮小画像データを生成し、
予め定められたルールに従って第１のファイル名を生成し、少なくとも、前記第１のファイル名にリネームした前記画像データを記録媒体に記録し、
前記第１のファイル名と入力された暗証番号とに基づいて第２のファイル名を生成し、前記第２のファイル名にリネームした前記縮小画像データを前記サーバに送信し、
前記サーバは、
受信した前記縮小画像データを記憶することを特徴とする画像データ保管方法。
【請求項１０】
少なくとも、制御装置とサーバとコンピュータ端末とが通信ネットワークで接続されたシステムにおける画像データ保管方法であって、
前記制御装置は、
読み取った画像データのデータサイズを縮小した縮小画像データを生成し、
予め定められたルールに従って第１のファイル名を生成し、少なくとも、前記第１のファイル名にリネームした前記画像データを記録媒体に記録し、
前記第１のファイル名と入力された暗証番号とに基づいて第２のファイル名を生成し、前記第２のファイル名にリネームした前記縮小画像データと前記記録媒体の識別情報とを前記サーバに送信し、
前記サーバは、
受信した前記縮小画像データを前記記録媒体の識別情報に関連付けて記憶することを特徴とする画像データ保管方法。
【請求項１１】
少なくとも、制御装置とサーバとコンピュータ端末とが通信ネットワークで接続されたシステムにおける画像データ保管方法であって、
前記制御装置は、
読み取った画像データのデータサイズを縮小した縮小画像データを生成し、
予め定められたルールに従って第１のファイル名を生成し、前記第１のファイル名にリネームした前記画像データ及び前記縮小画像データを記録媒体に記録し、
前記コンピュータ端末は、
前記記録媒体に記録された前記縮小画像データの前記第１のファイル名と入力された暗証番号とに基づいて第２のファイル名を生成し、前記第２のファイル名にリネームした前記縮小画像データを前記サーバに送信し、
前記サーバは、
受信した前記縮小画像データを記憶することを特徴とする画像データ保管方法。
【請求項１２】
少なくとも、制御装置とサーバとコンピュータ端末とが通信ネットワークで接続されたシステムにおける画像データ保管方法であって、
前記制御装置は、
読み取った画像データのデータサイズを縮小した縮小画像データを生成し、
予め定められたルールに従って第１のファイル名を生成し、前記第１のファイル名にリネームした前記画像データ及び前記縮小画像データを記録媒体に記録し、
前記コンピュータ端末は、
前記記録媒体に記録された前記縮小画像データの前記第１のファイル名と入力された暗証番号とに基づいて第２のファイル名を生成し、前記第２のファイル名にリネームした前記縮小画像データと前記記録媒体の識別情報とを前記サーバに送信し、
前記サーバは、
受信した前記縮小画像データを前記記録媒体の識別情報に関連付けて記憶することを特徴とする画像データ保管方法。
【請求項１３】
前記コンピュータ端末は、前記暗証番号、又は、前記第１のファイル名及び前記暗証番号を前記サーバに送信し、
前記サーバは、前記暗証番号、又は、前記第１のファイル名及び前記暗証番号に基づいて、前記縮小画像データを特定することを特徴とする請求項９又は１１に記載の画像データ保管方法。
【請求項１４】
前記コンピュータ端末は、装填された前記記録媒体から前記識別情報を読み取り、前記暗証番号、又は、前記第１のファイル名及び前記暗証番号と、前記識別情報とを前記サーバに送信し、
前記サーバは、前記暗証番号、又は、前記第１のファイル名及び前記暗証番号と、前記識別情報とに基づいて、前記縮小画像データを特定することを特徴とする請求項１０又は１２に記載の画像データ保管方法。
【請求項１５】
更に、前記コンピュータ端末は、特定された前記縮小画像データを前記サーバから読み出し、読み出した前記縮小画像データを、前記通信ネットワーク上の所定の領域に保存することを特徴とする請求項１３又は１４に記載の画像データ保管方法。
【発明の詳細な説明】
【技術分野】
【０００１】
本発明は、画像データを保管するための制御プログラム及び画像データ保管方法並びに画像データ保管システムに関する。
【背景技術】
【０００２】
近年、デジタルカメラの低価格化、多機能化に伴ってデジタルカメラで写真や動画を撮影するユーザが増えており、デジタルカメラで撮影した静止画像データや動画データ（以下、画像データと呼ぶ。）は、ミニラボなどの店舗に設置された端末を利用することによって、ＣＤ−Ｒ、ＤＶＤ−Ｒなどのディスク型記録媒体に記録することができる（例えば、下記特許文献１参照）。
【０００３】
また、上記端末を利用することによって、画像データをＤＶＤプレーヤやＤＶＤレコーダ、ＨＤＤレコーダ、ゲーム機などの家電機器でスライドショーとして再生するためのデータ（以下、家電機器用データと呼ぶ。）を作成することもでき、画像データと家電機器用データとをセットにして記録媒体に書き込んだり、更に、画像データをコンピュータ端末でスライドショーとして再生するためのアプリケーションをセットにして記録媒体に書き込むこともできる。
【０００４】
【特許文献１】特開２００４−２０１１１３号公報（第１０−１８頁、第１図）
【発明の開示】
【発明が解決しようとする課題】
【０００５】
上記写真や動画は思い出となるものであり、画像データは安全に保管する必要があることから、上記画像データは記録媒体に記録するだけでなく、通常、パーソナルコンピュータなどのコンピュータ端末のＨＤＤ（Hard Disk Drive）などにバックアップされる。しかしながら、記録媒体は紛失したり、損傷や変形によって画像データが読み出せなくなる場合がある。また、コンピュータ端末はコンピュータウィルスなどによって機能しなくなる場合もあるし、ＨＤＤは部品の消耗や衝撃などによってクラッシュする場合もあり、画像データを記録媒体とＨＤＤの２カ所に保存するだけでは、画像データを安全に保管しているとは言えない。
【０００６】
そこで、画像データや画像データのデータサイズを縮小した縮小画像データをインターネット上にバックアップすることも行われており、例えば、インターネットで接続されたサーバなどに縮小画像データをバックアップすることにより、画像データや縮小画像データ（以下、画像データ等と呼ぶ。）を記録媒体とＨＤＤとネットワーク上の３カ所に保管することによって、画像データ等をより安全に保管することができる。
【０００７】
しかしながら、ミニラボなどの店舗で、縮小画像データをネットワーク上に保管するためには、ユーザの氏名や住所などを登録しなければならないため操作が煩雑であり、簡単に縮小画像データをサーバに預けることができないという問題がある。また、ユーザの氏名や住所などの個人情報を登録すると個人情報が漏洩する恐れがあり、安全に縮小画像データをサーバに預けることができないという問題もある。そこで、画像データや縮小画像データを簡単かつ安全にサーバに預ける仕組みの構築が求められている。
【０００８】
本発明は、上記問題点に鑑みてなされたものであって、その主たる目的は、煩雑な操作を必要とせず、簡単かつ安全に画像データや縮小画像データを保管することができる制御プログラム及び画像データ保管方法並びに画像データ保管システムを提供することにある。
【課題を解決するための手段】
【０００９】
上記目的を達成するため、本発明の制御プログラムは、コンピュータを、入力された画像データのデータサイズを縮小した縮小画像データを生成するデータ生成手段、予め定められたルールに従って第１のファイル名を生成すると共に、前記第１のファイル名と入力された暗証番号とに基づいて前記縮小画像データに付与する第２のファイル名を生成するファイル名生成手段、前記第２のファイル名にリネームした前記縮小画像データを、通信ネットワークを介して接続されるサーバに送信するデータ登録手段、として機能させるものである。
【００１０】
また、本発明の制御プログラムは、コンピュータを、入力された画像データのデータサイズを縮小した縮小画像データを生成するデータ生成手段、予め定められたルールに従って第１のファイル名を生成すると共に、前記第１のファイル名と入力された暗証番号とに基づいて前記縮小画像データに付与する第２のファイル名を生成するファイル名生成手段、前記第２のファイル名にリネームした前記縮小画像データと少なくとも前記画像データを記録する記録媒体の識別情報とを、通信ネットワークを介して接続されるサーバに送信するデータ登録手段、として機能させるものである。
【００１１】
また、本発明の制御プログラムは、コンピュータを、予め記録媒体に記録された縮小画像データに付与された第１のファイル名と入力された暗証番号とに基づいて前記縮小画像データに付与する第２のファイル名を生成するファイル名生成手段、前記第２のファイル名にリネームした前記縮小画像データを、通信ネットワークを介して接続されるサーバに送信するデータ登録手段、として機能させるものである。
【００１２】
また、本発明の制御プログラムは、コンピュータを、予め記録媒体に記録された縮小画像データに付与された第１のファイル名と入力された暗証番号とに基づいて前記縮小画像データに付与する第２のファイル名を生成するファイル名生成手段、前記第２のファイル名にリネームした前記縮小画像データと前記記録媒体の識別情報とを、通信ネットワークを介して接続されるサーバに送信するデータ登録手段、として機能させるものである。
【００１３】
また、本発明は、少なくとも、制御装置とサーバとが通信ネットワークで接続された画像データ保管システムにおいて、前記制御装置は、読み取った画像データのデータサイズを縮小した縮小画像データを生成するデータ生成手段と、予め定められたルールに従って記録媒体に記録する前記画像データ及び前記縮小画像データに付与する第１のファイル名を生成すると共に、前記第１のファイル名と入力された暗証番号とに基づいて前記サーバに送信する前記縮小画像データに付与する第２のファイル名を生成するファイル名生成手段と、前記第２のファイル名にリネームした前記縮小画像データを前記サーバに送信するデータ登録手段と、を少なくとも備えるものである。
【００１４】
また、本発明は、少なくとも、制御装置とサーバとが通信ネットワークで接続された画像データ保管システムにおいて、前記制御装置は、読み取った画像データのデータサイズを縮小した縮小画像データを生成するデータ生成手段と、予め定められたルールに従って記録媒体に記録する前記画像データ及び前記縮小画像データに付与する第１のファイル名を生成すると共に、前記第１のファイル名と入力された暗証番号とに基づいて前記サーバに送信する前記縮小画像データに付与する第２のファイル名を生成するファイル名生成手段と、前記第２のファイル名にリネームした前記縮小画像データと前記記録媒体の識別情報とを前記サーバに送信するデータ登録手段と、を少なくとも備えるものである。
【００１５】
また、本発明は、少なくとも、制御装置とサーバとコンピュータ端末とが通信ネットワークで接続された画像データ保管システムにおいて、前記制御装置は、読み取った画像データのデータサイズを縮小した縮小画像データを生成するデータ生成手段と、予め定められたルールに従って記録媒体に記録する前記画像データ及び前記縮小画像データに付与する第１のファイル名を生成するファイル名生成手段と、前記第１のファイル名の前記画像データ及び前記縮小画像データを前記記録媒体に書き込む書込部と、を少なくとも備え、前記コンピュータ端末は、前記記録媒体に記録された前記縮小画像データの前記第１のファイル名と入力された暗証番号とに基づいて前記縮小画像データに付与する第２のファイル名を生成するファイル名生成手段と、前記第２のファイル名にリネームした前記縮小画像データを前記サーバに送信するデータ登録手段と、を少なくとも備えるものである。
【００１６】
また、本発明は、少なくとも、制御装置とサーバとコンピュータ端末とが通信ネットワークで接続された画像データ保管システムにおいて、前記制御装置は、読み取った画像データのデータサイズを縮小した縮小画像データを生成するデータ生成手段と、予め定められたルールに従って記録媒体に記録する前記画像データ及び前記縮小画像データに付与する第１のファイル名を生成するファイル名生成手段と、前記第１のファイル名の前記画像データ及び前記縮小画像データを前記記録媒体に書き込む書込部と、を少なくとも備え、前記コンピュータ端末は、前記記録媒体に記録された前記縮小画像データの前記第１のファイル名と入力された暗証番号とに基づいて前記縮小画像データに付与する第２のファイル名を生成するファイル名生成手段と、前記第２のファイル名にリネームした前記縮小画像データと前記記録媒体の識別情報とを前記サーバに送信するデータ登録手段と、を少なくとも備えるものである。
【００１７】
また、本発明は、少なくとも、制御装置とサーバとコンピュータ端末とが通信ネットワークで接続されたシステムにおける画像データ保管方法であって、前記制御装置は、読み取った画像データのデータサイズを縮小した縮小画像データを生成し、予め定められたルールに従って第１のファイル名を生成し、少なくとも、前記第１のファイル名にリネームした前記画像データを記録媒体に記録し、前記第１のファイル名と入力された暗証番号とに基づいて第２のファイル名を生成し、前記第２のファイル名にリネームした前記縮小画像データを前記サーバに送信し、前記サーバは、受信した前記縮小画像データを記憶するものである。
【００１８】
また、本発明は、少なくとも、制御装置とサーバとコンピュータ端末とが通信ネットワークで接続されたシステムにおける画像データ保管方法であって、前記制御装置は、読み取った画像データのデータサイズを縮小した縮小画像データを生成し、予め定められたルールに従って第１のファイル名を生成し、少なくとも、前記第１のファイル名にリネームした前記画像データを記録媒体に記録し、前記第１のファイル名と入力された暗証番号とに基づいて第２のファイル名を生成し、前記第２のファイル名にリネームした前記縮小画像データと前記記録媒体の識別情報とを前記サーバに送信し、前記サーバは、受信した前記縮小画像データを前記記録媒体の識別情報に関連付けて記憶するものである。
【００１９】
また、本発明は、少なくとも、制御装置とサーバとコンピュータ端末とが通信ネットワークで接続されたシステムにおける画像データ保管方法であって、前記制御装置は、読み取った画像データのデータサイズを縮小した縮小画像データを生成し、予め定められたルールに従って第１のファイル名を生成し、前記第１のファイル名にリネームした前記画像データ及び前記縮小画像データを記録媒体に記録し、前記コンピュータ端末は、前記記録媒体に記録された前記縮小画像データの前記第１のファイル名と入力された暗証番号とに基づいて第２のファイル名を生成し、前記第２のファイル名にリネームした前記縮小画像データを前記サーバに送信し、前記サーバは、受信した前記縮小画像データを記憶するものである。
【００２０】
また、本発明は、少なくとも、制御装置とサーバとコンピュータ端末とが通信ネットワークで接続されたシステムにおける画像データ保管方法であって、前記制御装置は、読み取った画像データのデータサイズを縮小した縮小画像データを生成し、予め定められたルールに従って第１のファイル名を生成し、前記第１のファイル名にリネームした前記画像データ及び前記縮小画像データを記録媒体に記録し、前記コンピュータ端末は、前記記録媒体に記録された前記縮小画像データの前記第１のファイル名と入力された暗証番号とに基づいて第２のファイル名を生成し、前記第２のファイル名にリネームした前記縮小画像データと前記記録媒体の識別情報とを前記サーバに送信し、前記サーバは、受信した前記縮小画像データを前記記録媒体の識別情報に関連付けて記憶するものである。
【００２１】
本発明においては、前記コンピュータ端末は、前記暗証番号、又は、前記第１のファイル名及び前記暗証番号を前記サーバに送信し、前記サーバは、前記暗証番号、又は、前記第１のファイル名及び前記暗証番号に基づいて、前記縮小画像データを特定する構成とすることができる。
【００２２】
また、本発明においては、前記コンピュータ端末は、装填された前記記録媒体から前記識別情報を読み取り、前記暗証番号、又は、前記第１のファイル名及び前記暗証番号と、前記識別情報とを前記サーバに送信し、前記サーバは、前記暗証番号、又は、前記第１のファイル名及び前記暗証番号と、前記識別情報とに基づいて、前記縮小画像データを特定する構成とすることができる。
【００２３】
また、本発明においては、更に、前記コンピュータ端末は、特定された前記縮小画像データを前記サーバから読み出し、読み出した前記縮小画像データを、前記通信ネットワーク上の所定の領域に保存する構成とすることができる。
【００２４】
このように、本発明では、画像データを記録媒体に記録する際に、該画像データのデータサイズを縮小した縮小画像データが所定の暗証番号を含む第２のファイル名にリネームされ、必要に応じて記録媒体の識別情報に関連付けて自動的にサーバに保存され、また、予め作成した記録媒体を装填すると、記録媒体に記録された縮小画像データが所定の暗証番号を含む第２のファイル名にリネームされ、必要に応じて記録媒体の識別情報に関連付けて自動的にサーバに保存されるため、ユーザは煩雑な操作を行うことなく、また、個人情報を登録することなく、簡単かつ安全に縮小画像データをサーバに保存することができる。また、所定の暗証番号、又は、暗唱番号及び第１のファイル名と、必要に応じて記録媒体の識別情報とをサーバに送信するだけで、サーバに保存した縮小画像データを特定することができるため、ユーザは煩雑な操作を行うことなく、簡単に縮小画像データをサーバから読み出すことができる。
【発明の効果】
【００２５】
本発明の制御プログラム及び画像データ保管方法並びに画像データ保管システムによれば、煩雑な操作を必要とせず、簡単かつ安全に画像データを保管することができる。
【００２６】
その理由は、デジタルカメラやメディアなどから画像データを読み取って記録媒体に記録する際に、該画像データのデータサイズを縮小した縮小画像データが作成され、予め定められたルールに従って生成されたファイル名（第１のファイル名）と所定の暗証番号とで構成されるファイル名（第２のファイル名）にリネームされ、リネームされた縮小画像データと必要に応じて記録媒体の識別情報とがサーバに送信され、また、予め作成した記録媒体を装填すると、記録媒体から縮小画像データが読み出され、該縮小画像データの元のファイル名（第１のファイル名）と所定の暗証番号とで構成されるファイル名（第２のファイル名）にリネームされ、リネームされた縮小画像データと必要に応じて記録媒体の識別情報とがサーバに送信され、サーバでは、受信した縮小画像データを必要に応じて記録媒体の識別情報に関連付けて保存するため、ユーザは煩雑な操作を行うことなく、簡単に縮小画像データをサーバに保存することができるからである。また、このようなファイル名にリネームすることにより、ユーザの氏名や住所などの個人情報を登録する必要がなくなり、また、ファイル名だけではどのユーザのデータかは分からないため、プライバシーを有効に保護することができるからである。
【００２７】
また、サーバに保存されたデータを読み出す際には、所定の暗証番号、又は、第１のファイル名及び暗証番号と、必要に応じて記録媒体の識別情報とをサーバに送信するだけで、サーバに保存された縮小画像データの中からその記録媒体に保存された縮小画像データを特定することができるため、ユーザは煩雑な操作を行うことなく、簡単に縮小画像データをサーバから読み出すことができるからである。また、読み出した縮小画像データをネットワーク上のユーザが管理する領域に移動し電子アルバムとして保存することにより、画像データをＨＤＤと記録媒体とネットワーク上の３カ所に保管することができるからである。
【発明を実施するための最良の形態】
【００２８】
本発明は、その好ましい一実施の形態において、デジタルカメラやデジタルカメラ用メディアから画像データを読み取る読取部と、読み取った画像データを記録媒体に書き込む書込部と、これらを制御する制御部とを少なくとも備える制御装置と、サーバと、コンピュータ端末とが通信ネットワークで接続された画像データ保管システムにおいて、制御装置の制御部（又はコンピュータを制御部として機能させる制御プログラム）に、画像データのデータサイズを縮小した縮小画像データを生成するデータ生成部と、予め定められたルールに従って記録媒体に記録する画像データ及び縮小画像データに付与する第１のファイル名を生成すると共に、第１のファイル名に所定の暗証番号を付加してサーバに送信する縮小画像データに付与する第２のファイル名を生成するファイル名生成部と、縮小画像データを第２のファイル名にリネームして必要に応じて記録媒体の識別情報に関連付けてサーバに送信するデータ登録部とを設ける。これにより、煩雑な操作を行うことなく、また、ユーザの個人情報を登録することなく、簡単かつ安全に画像データや縮小画像データを保管することができる。
【実施例１】
【００２９】
上記実施形態について詳細に説明すべく、本発明の第１の実施例に係る制御プログラム及び画像データ保管方法並びに画像データ保管システムについて、図１乃至図１１を参照して説明する。図１は、本実施例の画像データ保管システムの構成を模式的に示す図であり、図２は、制御装置の構成を示すブロック図、図３は、コンピュータ端末の構成を示すブロック図である。また、図４及び図５は、本実施例の画像データ保管システムを用いた処理の手順を示すフローチャート図であり、図６乃至図９は、データの記録構造を示す図である。また、図１０は、記録媒体におけるデータの記録領域を模式的に示す図であり、図１１は、記録媒体（ＣＤ−Ｒ）の構造を模式的に示す図である。
【００３０】
図１に示すように、本実施例の画像データ保管システムは、ミニラボやコンビニエンスストアなどの店舗に設置される制御装置１０と、制御装置１０から送信される縮小画像データを保存するサーバ２０と、ユーザの自宅等に設置されるパーソナルコンピュータなどのコンピュータ端末３０とで構成され、これらはＬＡＮ（Local Area Network）やＷＡＮ（Wide Area Network）などの通信ネットワークを介して接続されている。
【００３１】
また、図１及び図２に示すように、本実施例の制御装置１０は、装填されたスマートメディア、コンパクトフラッシュ（登録商標）、メモリースティック（登録商標）、ＳＤメモリーカード、マルチメディアカードなどのメモリ（以下、メディア１９と呼ぶ。）や、接続されたデジタルカメラ１８やカメラ付き携帯電話機等の撮影機器から画像データを読み取る読取部１２と、装填されたＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等のディスク型の記録媒体（以下、単に記録媒体４０と呼ぶ。）に画像データ等を書き込む書込部１３と、ＬＣＤ（Liquid Crystal Display）などの表示部１４と、タッチパネル、ボタン等の操作部１５と、通信ネットワークに接続するＮＩＣ（Network Interface Card）やモデムなどのネットワーク接続部１６と、これらを制御する制御部１１などを備える。
【００３２】
上記制御部１１は、ＣＰＵ（Central Processing Unit）やＲＯＭ（Read Only Memory）、ＲＡＭ（Random Access Memory）などのメモリで構成され、各部の動作を制御すると共に、読み取った画像データのデータサイズを縮小したサムネイル画像データやスクリーンネイル画像データなど（以下、これらを総称して縮小画像データと呼ぶ。）を生成し、必要に応じて、画像データを家電機器でスライドショーとして再生するための家電機器用データを生成するデータ生成部１１ａと、予め定められたルールに従って、記録媒体４０に記録する画像データや縮小画像データに付与するファイル名（以下、第１のファイル名と呼ぶ。）を生成すると共に、第１のファイル名とユーザが設定する暗証番号とを用いて、サーバ２０に送信する縮小画像データに付与するファイル名（以下、第２のファイル名と呼ぶ。）を生成するファイル名生成部１１ｂと、縮小画像データを第２のファイル名にリネームし、必要に応じて記録媒体４０の識別情報と共にサーバ２０に送信するデータ登録部１１ｃとしても機能する。このデータ生成部１１ａ、ファイル名生成部１１ｂ、データ登録部１１ｃはハードウェアとして構成してもよいし、コンピュータを、データ生成部１１ａ、ファイル名生成部１１ｂ、データ登録部１１ｃとして機能させる制御プログラムとして構成し、該制御プログラムを制御部１１上で動作させる構成としてもよい。
【００３３】
また、サーバ２０は、制御装置１０から送信される全てのユーザの縮小画像データを一時的に保存する記憶領域と、後述するコンピュータ端末３０からの指示に従って、所定のユーザの縮小画像データを特定するデータ検索機能を備える。
【００３４】
また、図１及び図３に示すように、本実施例のコンピュータ端末３０は、装填された記録媒体４０から画像データを読み取るデータ入力部３２と、画像データを保存するＨＤＤ（Hard Disk Drive）３２等の記憶部と、ＬＣＤなどの表示部３４と、ボタン、キーボード、マウス等の操作部３５と、通信ネットワークに接続するＮＩＣやモデムなどのネットワーク接続部３６と、これらを制御する制御部３１などを備え、制御部３１は、ＣＰＵやＲＯＭ、ＲＡＭなどのメモリで構成され、各部の動作を制御すると共に、記録媒体４０から該記録媒体４０を識別するための情報（以下、識別情報と呼ぶ。）を読み取る識別情報読取部３１ａとしても機能する。
【００３５】
なお、図１では制御装置１０としてミニラボなどの店舗に設置される無人端末（キオスク）を示しているが、制御装置１０の形態は任意である。また、図１では、コンピュータ端末３０としてパーソナルコンピュータを示しているが、コンピュータ端末３０の形態も任意であり、例えば、携帯電話機や専用のセットトップボックス、ポータブルライター、演算処理機能を備えたＤＶＤレコーダやＨＤＤレコーダ、ハードディスクを備えた端末と画像データの読み取りや書き込みを行う本体とが分離可能な携帯機器、演算処理機能を備えたカーナビゲーション機器などとすることもできる。
【００３６】
次に、図４のフローチャート図を参照して、本実施例の画像データ保管システムを用いて画像データ等を記録媒体４０に記録すると共に、縮小画像データをサーバ２０に保存する手順について説明する。なお、以下の説明では、ユーザが店舗に出向き、制御装置１０を用いて、記録媒体４０に画像データ等を記録すると共にサーバ２０に縮小画像データを送信する構成とするが、ユーザが自宅のコンピュータ端末３０を用いて、記録媒体４０に画像データ等を記録すると共にサーバ２０に縮小画像データを送信する構成としてもよい。
【００３７】
まず、ユーザはデジタルカメラ１８などの撮影機器を用いて写真や動画を撮影し、メディア１９又はデジタルカメラ１８をミニラボ等の店舗に持ち込み、ステップＳ１０１で、制御装置１０にメディア１９を装填、又は、デジタルカメラ１８を接続すると、ステップＳ１０２で、読取部１２は、メディア１９やデジタルカメラ１８から画像データを読み取り、データ生成部１１ａは、読み取った画像データのデータサイズを縮小したサムネイル画像データやスクリーンネイル画像データなどの縮小画像データを作成する。なお、ここでは、メディア１９やデジタルカメラ１８から画像データを読み取る構成としているが、ユーザがフィルムカメラで撮影したフィルムを店舗に持ち込んだ場合は、店舗でフィルムを現像し、フィルムから画像データを読み取る構成としてもよい。
【００３８】
ここで、上記デジタルカメラ１８やメディア１９には、図６に示すように、デジタルカメラ１８で設定されたルールに従って生成された名称のフォルダ（DSCyymmdd:yymmddは撮影の年月日）に、デジタルカメラ１８で設定されたルールに従って生成された名称の画像データ（DSC*****：*****は通し番号）が格納されており、この名称で画像データを記録媒体４０に記録すると画像データの管理が困難になる。
【００３９】
そこで、ステップＳ１０３で、ファイル名生成部１１ｂは、予め定められたルールに従ってユニークな名称を生成し、フォルダや画像データをリネームする。例えば、CCYYMMDDxxxxxx（CC：データの種別、YYMMDD：書き込み年月日を特定する数字、xxxxxx：シーケンシャル番号）などの第１のファイル名や、ROYYMMDDyyy_XXXXXXAABxxx（YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）などのフォルダ名を生成し、画像データやフォルダの名称をリネームする。
【００４０】
なお、第１のファイル名やフォルダ名の生成ルールは特に限定されず、例えば、画像データの元のファイル名（DSC00001など）の一部（例えば、先頭の１桁、後ろの２桁を取り出したD01など）としてもよい。また、画像データの元のファイル名やその一部に基づいて生成した情報（例えば、予め記憶した変換テーブルに基づいて変換した情報や暗号化した情報など）とすることもできる。
【００４１】
次に、ステップＳ１０４で、必要に応じて、データ生成部１１ａは、画像データに基づいて動画データを生成（エンコード）し、生成された動画データに基づいて、家電機器で再生可能な形式の家電機器用データ（例えば、動画データがＭＰＥＧ１形式の場合はＶｉｄｅｏ−ＣＤ形式のデータ、動画データがＭＰＥＧ１又はＭＰＥＧ２の場合はＤＶＤ−Ｖｉｄｅｏ形式のデータ）を生成（オーサリング）する。なお、上記静止画像データから動画データを作成する方法は特に限定されず、スライドショープログラムで設定されたスライド効果に基づいて静止画像データを再生する場合はスライド効果に基づく差分データを付加して動画データを生成すればよいし、同じ画像を一定時間表示する場合にはスライド表示時間分の差分０のデータを付加して動画データを生成すればよい。
【００４２】
次に、画像データ等を記録媒体４０に記録するが、その際、任意の記録媒体に対してデータの記録が行われるようにしてもよいし、特定の記録媒体に対してのみデータの記録が行われるようにしてもよく、後者の場合は、ステップＳ１０５で、記録媒体４０が装填されたら、ステップＳ１０６で、制御部１１は、記録媒体４０の所定の領域に該記録媒体４０を識別するための識別情報が記録されているかを調べ、識別情報が記録されている場合に特定の記録媒体４０と判断することができる。
【００４３】
この識別情報は、中身が容易に知られてしまうと識別情報自体もコピーされてしまうため、識別情報の少なくとも一部はコンピュータ端末のＯＳでは記録内容を制御できない情報、具体的にはプログラムメモリ領域の情報や、ＣＤ−Ｒ成型時に付与される案内溝変調（ＡＴＩＰ：Absolute Time In Pre-groove）による情報などとすることが好ましい。
【００４４】
ここで、一般的な記録媒体４０（ＣＤ−Ｒ）の構造について、図１１を参照して説明すると、ＣＤ−Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込みを確実に行うためにはＣＤ−Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができる。また、上記以外の案内溝変調（ＡＴＩＰ）であるリードイン開始時間、最大リードアウト開始可能時間等も適宜設定することで識別情報として利用することができる。
【００４５】
次に、書込部１３を用いて画像データや家電機器用データを記録するが、その際、家電機器ではデータを読み込むことができる記録領域が限定されるため、家電機器用データを記録する場合は、図１０に示すように、ステップＳ１０７で、書込部１３は、生成した家電機器用データを記録媒体４０の論理アドレス領域の内周側に書き込み、必要に応じてセッションをクローズした後、ステップＳ１０８で、画像データや必要に応じて縮小画像データ、アプリケーションなどのコンピュータ端末用データを記録媒体４０の先に記録した家電機器用データの外側に書き込む。なお、この論理アドレス領域とは、ユーザのデータ（プログラム）が記録される領域であり、ユーザデータの配置情報が記録されるプログラムメモリ領域、リードイン・ＴＯＣ（Table Of Contents）領域やリードアウト領域などの情報領域、ディスクの応用コードやレーザ記録パワーの推奨値、その他の情報が記録される案内溝変調（ＡＴＩＰ）情報の領域は含まず、また、論理アドレス領域外とは上記論理アドレス領域以外の領域を指すものとする。
【００４６】
上記手順で作成された記録媒体４０のディレクトリ構造は図７（ａ）に示すようになり、画像データの格納場所を示すフォルダ（PS_Rollフォルダ）内に、所定のルールに従って生成された名称（ROYYMMDDyyy_XXXXXXAABxxxなど）のフォルダが作成され、その中に、所定のルールに従って生成された名称（CCYYMMDDxxxxxxなど）にリネームされた画像データと、必要に応じて縮小画像データが記録され、また、必要に応じてAPPLフォルダ内にスライドショープログラムやスライドショーの設定ファイルなどが記録され、これらでコンピュータ端末用データが構成される。
【００４７】
また、Ｖｉｄｅｏ−ＣＤ形式のデータを生成した場合は図７（ａ）に示すように、”VCD”フォルダ内の画像データをＶｉｄｅｏ−ＣＤ形式用データとして関連付けるファイル、”SEGMENT”フォルダ内のＴＶ画面に表示する画像データ、”MPEGAV”フォルダ内の動画データ、”DAT”フォルダ内のＴＶ画面に静止画像データを表示するためのアプリケーションなどで家電機器用データが構成され、ＤＶＤ−Ｖｉｄｅｏ形式のデータを生成した場合は図７（ｂ）に示すように、”VIDEO_TS”フォルダ内の、チャプター位置情報が記述されたVIDEO_TS.IFOとそのバックアップファイルであるVIDEO_TS.BUPとタイトル選択メニューのためのVIDEO_TS.VOBとで構成されるビデオマネージャ（ＶＭＧ）と、チャプター位置情報が記述されたVTS_**_0.IFOとそのバックアップファイルであるVTS_**_0.BUPとＶＴＳの各タイトルの動画データであるVTS_**_*.VOBなどとで構成されるビデオタイトルセット（ＶＴＳ）などで家電機器用データが構成される。
【００４８】
次に、縮小画像データをサーバ２０に保存するが、その際、上記ステップで生成した第１のファイル名で縮小画像データを保存すると、サーバ２０に保存されている多数の縮小画像データの中からユーザの縮小画像データを特定するのは容易ではなく、また、第１のファイル名の生成ルールを知っている者によって他のユーザの縮小画像データが読み出されてしまう恐れがある。そこで、ステップＳ１０９で、ユーザに操作部１５を操作させて所定の情報（例えば、４〜６桁程度の英数字などからなる暗証番号等）を入力させ、ファイル名生成部１１ｂは、第１のファイル名に暗証番号を付加して、新たなファイル名（第２のファイル名）を生成する。
【００４９】
例えば、第１のファイル名がCCYYMMDDxxxxxx、暗証番号がabcdの場合は、第２のファイル名はCCYYMMDDxxxxxx-abcdなどとなる。また、第１のファイル名が元のファイル名の一部（例えば、Dxx）の場合は、第２のファイル名はDxx-abcdなどとなる。また、第１のファイル名が元のファイル名に基づいて生成された情報（例えば、XYZ）の場合は、第２のファイル名はXYZ-abcdなどとなる。
【００５０】
なお、上記では、暗証番号を識別しやすくするために、第１のファイル名に所定の記号（ここではハイフン）を付加し、その後ろに暗証番号を付加したが、どの部分が暗証番号であるかをサーバ２０が識別可能であれば、記号は省略してもよい。また、ここでは、第１のファイル名の後ろに暗証番号を付加しているが、第１のファイル名の先頭や途中に暗証番号を付加することもできる。
【００５１】
次に、ステップＳ１１０で、データ登録部１１ｃは、ステップＳ１０２で生成した縮小画像データをステップＳ１０９で生成した第２のファイル名にリネームした後、ステップＳ１１１で、第２のファイル名にリネームした縮小画像データと必要に応じてステップＳ１０５で装填された記録媒体４０の識別情報とを関連づけてサーバ２０に送信する。
【００５２】
一方、サーバ２０は、ステップＳ１１２で、送信された縮小画像データを記憶する。なお、サーバ２０では、縮小画像データをどのように記憶してもよく、例えば、図８（ａ）に示すように、送信された縮小画像データをランダムに記憶してもよいし、図８（ｂ）に示すように、記録媒体４０の識別情報に関連づけて（例えば、識別情報のフォルダに分類して）縮小画像データを記憶してもよい。
【００５３】
その後、ユーザは記録媒体４０を持ち帰り、必要に応じて、コンピュータ端末３０に装填して、記録媒体４０に記録された画像データ等をＨＤＤ３３に保存する。このＨＤＤ３３におけるデータの記録構造は任意であるが、図８に示すように、画像データの格納場所を示すフォルダ（PSYYMMDDyyy_XXXXXXAABフォルダ）を作成し、その中に、ROYYMMDDyyy_XXXXXXAABxxxフォルダ内の画像データや縮小画像データを記録することができる。
【００５４】
このように、本実施例では、デジタルカメラ１８やメディア１９の画像データを記録媒体４０に書き込む際に、データ生成部１１ａによって縮小画像データが生成され、ファイル名生成部１１ｂによって、予め定められたルールに従って生成された第１のファイル名に暗証番号を付加して第２のファイル名が生成され、データ登録部１１ｃによって第２のファイル名にリネームされた縮小画像データと必要に応じて記録媒体４０の識別情報とがサーバ２０に送信されるため、ユーザは煩雑な操作を行うことなく、また、氏名や住所などの個人情報を登録することなく、簡単かつ安全に縮小画像データを保存することができる。
【００５５】
上記手順によって、画像データや縮小画像データを記録媒体４０とサーバ２０とＨＤＤ３３の３カ所に保存することができるが、多数のユーザから送信された縮小画像データをサーバ２０で永久に保存するとサーバ２０の負荷が大きくなり、また、多数のユーザの縮小画像データがサーバ２０に混在して保存されるとプライバシーの保護の観点から好ましくないことから、ユーザは自身の縮小画像データをサーバ２０から読み出して、ネットワーク上のユーザが管理する領域（例えば、ホームページやWEB-LOG（いわゆるブログ）を記憶する領域など）に保存することが好ましい。その場合の手順について、図５のフローチャート図を参照して説明する。
【００５６】
まず、ステップＳ２０１で、ユーザは制御装置１０で作成した記録媒体４０をコンピュータ端末３０に装填すると、必要に応じて、制御部３１の識別情報読取部３１ａは、記録媒体４０の所定の領域から識別情報を読み取る。
【００５７】
次に、ステップＳ２０２で、ユーザはネットワーク接続部３６を用いてサーバ２０にアクセスし、ステップＳ２０３で、操作部３５を操作して暗証番号を入力すると、ステップＳ２０４で、制御部３１は、入力された暗証番号、又は、記録媒体４０に記録された縮小画像データのファイル名（第１のファイル名）と入力された暗証番号と必要に応じて記録媒体４０から読み取った識別情報とをサーバ２０に送信する。
【００５８】
次に、ステップＳ２０５で、サーバ２０は、検索機能を用いて保存している縮小画像データの中からユーザの縮小画像データを特定する。例えば、図８（ａ）に示すように縮小画像データがランダムに保存されている場合は、縮小画像データの中からファイル名に暗証番号、又は、第１のファイル名と暗証番号を含む縮小画像データを特定し、図８（ｂ）に示すように縮小画像データが保存されている場合は、識別情報に関連付けて保存されている縮小画像データを特定する。
【００５９】
そして、ステップＳ２０６で、ユーザは特定された縮小画像データをサーバ２０から読み出し、ユーザが管理する領域（例えば、ホームページやブログを記憶する領域など）に記憶させる。なお、読み出した縮小画像データを記憶する領域は特に限定されず、サーバ２０内のユーザ毎に割り振られた領域としてもよいし、他のサーバとしてもよい。また、読み出した縮小画像データは一旦、コンピュータ端末３０のＨＤＤ３３に記憶してからネットワーク上のユーザ領域に送信してもよいし、縮小画像データの送信先をサーバ２０に指示して、サーバ２０からネットワーク上のユーザ領域に直接送信する構成としてもよい。
【００６０】
特定した縮小画像データをユーザが管理する領域に記憶させた後、サーバ２０の縮小画像データは削除してもしなくてもよいが、サーバ２０に縮小画像データを残すと、上述したようにサーバ２０の負荷が大きくなり、また、プライバシーの保護の観点から好ましくないことから、本実施例では、ステップＳ２０７で、サーバ２０は特定した縮小画像データを削除する。
【００６１】
このように、本実施例では、サーバ２０には、暗証番号を含む第２のファイル名にリネームされた縮小画像データが必要に応じて記録媒体４０の識別情報に関連付けて保管されるため、ユーザは暗証番号や識別情報を用いて自身の縮小画像データを特定し、特定した縮小画像データをユーザが管理する領域に記憶することができるため、画像データや縮小画像データを記録媒体４０とコンピュータ端末３０のＨＤＤ３３とネットワーク上の３カ所に保存することができ、画像データを安全に保管することができる。
【実施例２】
【００６２】
次に、本発明の第２の実施例に係る制御プログラム及び画像データ保管方法並びに画像データ保管システムについて、図１２乃至図１４を参照して説明する。図１２は、本実施例のコンピュータ端末の構成を示すブロック図であり、図１３及び図１４は、本実施例の画像データ保管システムを用いた処理の手順を示すフローチャート図である。
【００６３】
前記した第１の実施例では、制御装置１０（又はコンピュータ端末３０）で記録媒体４０に画像データ等を記録する際に、第２のファイル名にリネームした縮小画像データをサーバ２０に送信する構成としたが、制御装置１０で記録媒体４０に画像データ等を記録する際には縮小画像データをサーバ２０に送信せず、作成した記録媒体４０を自宅に持ち帰ってからサーバ２０に登録する場合や、記録媒体４０を貰った他のユーザが縮小画像データをサーバ２０に登録する場合も考えられる。そこで、本実施例では、予め第１のファイル名で画像データ等が記録された記録媒体４０を用いて、第２のファイル名にリネームした縮小画像データをサーバ２０に登録する場合について説明する。
【００６４】
その場合、画像データ保管システムの構成は第１の実施例の図１と同様であるが、図１２に示すように、コンピュータ端末３０の制御部３１は、記録媒体４０から該記録媒体４０の識別情報を読み取る識別情報読取部３１ａと、記録媒体４０に記録された縮小画像データに付与された第１のファイル名とユーザが設定する暗証番号とを用いて、サーバ２０に送信する縮小画像データに付与する第２のファイル名を生成するファイル名生成部３１ｂと、縮小画像データを第２のファイル名にリネームし、必要に応じて記録媒体４０の識別情報と共にサーバ２０に送信するデータ登録部３１ｃとして機能する。このファイル名生成部３１ｂ、データ登録部３１ｃはハードウェアとして構成してもよいし、コンピュータを、ファイル名生成部３１ｂ、データ登録部３１ｃとして機能させる制御プログラムとして構成し、該制御プログラムを制御部３１上で動作させる構成としてもよい。
【００６５】
次に、図１３のフローチャート図を参照して、本実施例の画像データ保管システムを用いて画像データ等を記録媒体４０に記録する手順について説明する。なお、以下の説明では、ユーザが店舗に出向き、制御装置１０を用いて、記録媒体４０に画像データ等を記録する構成とするが、ユーザが自宅のコンピュータ端末３０を用いて、記録媒体４０に画像データ等を記録する構成としてもよい。
【００６６】
まず、ユーザはデジタルカメラ１８などの撮影機器を用いて写真や動画を撮影し、メディア１９又はデジタルカメラ１８をミニラボ等の店舗に持ち込み、ステップＳ３０１で、制御装置１０にメディア１９を装填、又は、デジタルカメラ１８を接続すると、ステップＳ３０２で、読取部１２は、メディア１９やデジタルカメラ１８から画像データを読み取り、データ生成部１１ａは、読み取った画像データのデータサイズを縮小したサムネイル画像データやスクリーンネイル画像データなどの縮小画像データを作成する。
【００６７】
次に、ステップＳ３０３で、ファイル名生成部１１ｂは、予め定められたルールに従って、第１の実施例と同様の第１のファイル名を生成し、画像データやフォルダの名称をリネームする。
【００６８】
次に、ステップＳ３０４で、必要に応じて、データ生成部１１ａは、画像データに基づいて動画データを生成（エンコード）し、生成された動画データに基づいて、家電機器で再生可能な形式の家電機器用データ（例えば、動画データがＭＰＥＧ１形式の場合はＶｉｄｅｏ−ＣＤ形式のデータ、動画データがＭＰＥＧ１又はＭＰＥＧ２の場合はＤＶＤ−Ｖｉｄｅｏ形式のデータ）を生成（オーサリング）する。
【００６９】
次に、特定の記録媒体に対してのみデータの記録が行われるようにする場合は、ステップＳ３０５で、記録媒体４０が装填されたら、ステップＳ３０６で、制御部１１は、記録媒体４０の所定の領域に該記録媒体４０を識別するための識別情報が記録されているかを調べ、識別情報が記録されている場合に特定の記録媒体４０と判断する。
【００７０】
次に、ステップＳ３０７で、書込部１３は、生成した家電機器用データを記録媒体４０の論理アドレス領域の内周側に書き込み、必要に応じてセッションをクローズした後、ステップＳ３０８で、画像データや必要に応じて縮小画像データ、アプリケーションなどのコンピュータ端末用データを記録媒体４０の先に記録した家電機器用データの外側に書き込み、作成した記録媒体４０をユーザに提供して一連の処理を終了する。
【００７１】
次に、記録媒体４０を持ち帰ったユーザ、又は、その記録媒体４０を貰った他のユーザが、コンピュータ端末３０を用いて、縮小画像データをサーバ２０に保存する手順について、図１４のフローチャート図を参照して説明する。
【００７２】
まず、ステップＳ４０１で、ユーザは制御装置１０で作成した記録媒体４０をコンピュータ端末３０に装填すると、必要に応じて、制御部３１の識別情報読取部３１ａは、記録媒体４０の所定の領域から識別情報を読み取る。
【００７３】
次に、ステップＳ４０２で、制御部３１は、記録媒体４０から縮小画像データを読み取ると共に、縮小画像データに付与された第１のファイル名を読み取る。
【００７４】
次に、ステップＳ４０３で、ユーザが操作部１５を操作して所定の情報（例えば、４〜６桁程度の英数字などからなる暗証番号等）を入力すると、ファイル名生成部３１ｂは、第１のファイル名に暗証番号を付加して、第１の実施例と同様の新たなファイル名（第２のファイル名）を生成する。
【００７５】
次に、ステップＳ４０４で、データ登録部３１ｃは、ステップＳ４０２で読み取った縮小画像データをステップＳ４０３で生成した第２のファイル名にリネームした後、ステップＳ４０５で、第２のファイル名にリネームした縮小画像データと必要に応じてステップＳ４０１で読み取った記録媒体４０の識別情報とを関連づけてサーバ２０に送信する。
【００７６】
一方、サーバ２０は、ステップＳ４０６で、送信された縮小画像データを記憶する。なお、サーバ２０では、送信された縮小画像データをランダムに記憶してもよいし、記録媒体４０の識別情報に関連づけて（例えば、識別情報のフォルダに分類して）縮小画像データを記憶してもよい。
【００７７】
そして、第１の実施例の図５と同様に、ユーザは縮小画像データをサーバ２０から読み出して、ネットワーク上のユーザが管理する領域（例えば、ホームページやWEB-LOGに保存する。
【００７８】
このように、本実施例では、制御装置１０やコンピュータ端末３０で記録媒体４０を作成した後、その記録媒体４０をコンピュータ端末３０に装填すると、ファイル名生成部３１ｂによって、記録媒体４０に記録された縮小画像データに付与された第１のファイル名に暗証番号を付加して第２のファイル名が生成され、データ登録部３１ｃによって第２のファイル名にリネームされた縮小画像データと必要に応じて記録媒体４０の識別情報とがサーバ２０に送信されるため、記録媒体４０を作成したユーザや記録媒体４０を貰った他のユーザは、コンピュータ端末３０を用いて、簡単かつ安全に縮小画像データを保存することができる。
【００７９】
なお、上記実施例では、画像データのデータサイズを縮小した縮小画像データをサーバ２０に保管する場合を示したが、本発明は上記実施例に限定されるものではなく、例えば、画像データそのものをサーバ２０に保管する場合に対しても同様に適用することができる。
【産業上の利用可能性】
【００８０】
本発明は、画像データを記録媒体４０に記録する機能を備えた制御装置１０及び制御装置１０を含む画像データ保管システム並びに該システムにおける画像データ保管方法に利用可能である。
【図面の簡単な説明】
【００８１】
【図１】本発明の第１の実施例に係る画像データ保管システムの構成を模式的に示す図である。
【図２】本発明の第１の実施例に係る制御装置の構成を示すブロック図である。
【図３】本発明の第１の実施例に係るコンピュータ端末の構成を示すブロック図である。
【図４】本発明の第１の実施例に係る制御装置を用いた画像データ等の保存手順を示すフローチャート図である。
【図５】本発明の第１の実施例に係るコンピュータ端末を用いた縮小画像データの保存手順を示すフローチャート図である。
【図６】本発明の第１の実施例に係るデジタルカメラにおけるデータの記録構造を示す図である。
【図７】本発明の第１の実施例に係る記録媒体におけるデータの記録構造を示す図である。
【図８】本発明の第１の実施例に係るサーバにおけるデータの記録構造を示す図である。
【図９】本発明の第１の実施例に係る制御装置におけるデータの記録構造を示す図である。
【図１０】本発明の第１の実施例に係る記録媒体におけるデータの記録領域を示す図である。
【図１１】記録媒体（ＣＤ−Ｒ）の構造を模式的に示す図である。
【図１２】本発明の第２の実施例に係るコンピュータ端末の構成を示すブロック図である。
【図１３】本発明の第２の実施例に係る制御装置を用いた画像データ等の保存手順を示すフローチャート図である。
【図１４】本発明の第２の実施例に係るコンピュータ端末を用いた縮小画像データの保存手順を示すフローチャート図である。
【符号の説明】
【００８２】
１０  制御装置
１１  制御部
１１ａ  データ生成部
１１ｂ  ファイル名生成部
１１ｃ  データ登録部
１２  読取部
１３  書込部
１４  表示部
１５  操作部
１６  ネットワーク接続部
１８  デジタルカメラ
１９  メディア
２０  サーバ
３０  コンピュータ端末
３１  制御部
３１ａ  識別情報読取部
３１ｂ  ファイル名生成部
３１ｃ  データ登録部
３２  データ入力部
３３  ＨＤＤ
３４  表示部
３５  操作部
３６  ネットワーク接続部
４０  記録媒体
１００  ポリカーボネート基板
１０１  有機色素層
１０２  反射層
１０３  保護層
【図１】
2008288735.tif 000003
【図２】
2008288735.tif 000004
【図３】
2008288735.tif 000005
【図４】
2008288735.tif 000006
【図５】
2008288735.tif 000007
【図６】
2008288735.tif 000008
【図７】
2008288735.tif 000009
【図８】
2008288735.tif 000010
【図９】
2008288735.tif 000011
【図１０】
2008288735.tif 000012
【図１１】
2008288735.tif 000013
【図１２】
2008288735.tif 000014
【図１３】
2008288735.tif 000015
【図１４】
2008288735.tif 000016